(57)【特許請求の範囲】
【請求項１】
エレベーターのかご及び乗場から離れた所定の遠隔場所に設けられたモニターと、
前記モニターの表示を制御する表示制御手段と、
前記かごが停止する複数の乗場に設置された第１カメラと、
前記かごに設置された第２カメラと、
前記複数の乗場に設置された第１カメラ及び前記第２カメラの中から、前記モニターに映像を表示させるカメラを選択する表示選択手段と、
エレベーターの通常運転及び火災時の避難運転を制御する運行制御手段と、
エレベーターの乗場に設けられ、エレベーターによる救出を要請するための救出要請手段と、
を備え、
前記表示制御手段は、前記運行制御手段によって避難運転の制御が開始されると、前記表示選択手段が選択したカメラによって撮影された映像と火災感知情報によって火災の発生が検出された階床の情報とを含む所定の避難用情報を、前記モニターに自動的に表示させ、
前記表示選択手段は、前記救出要請手段によって救出の要請が行われると、救出要請階に設置されている第１カメラを、前記モニターに映像を表示させるカメラとして選択する
ことを特徴とするモニター制御装置。
【請求項２】
エレベーターのかご及び乗場から離れた所定の遠隔場所に設けられたモニターと、
前記モニターの表示を制御する表示制御手段と、
前記かごが停止する複数の乗場に設置された第１カメラと、
前記複数の乗場に設置された第１カメラの中から、前記モニターに映像を表示させるカメラを選択する表示選択手段と、
エレベーターの通常運転及び火災時の避難運転を制御する運行制御手段と、
エレベーターの乗場に設けられ、エレベーターによる救出を要請するための救出要請手段と、
を備え、
前記表示制御手段は、前記運行制御手段によって避難運転の制御が開始されると、前記表示選択手段が選択したカメラによって撮影された乗場の映像と火災感知情報によって火災の発生が検出された階床の情報とを含む所定の避難用情報を、前記モニターに自動的に表示させ、
前記表示選択手段は、前記救出要請手段によって救出の要請が行われると、救出要請階に設置されている第１カメラを、前記モニターに映像を表示させるカメラとして選択する
ことを特徴とするモニター制御装置。
【請求項３】
前記表示選択手段は、前記火災感知情報によって火災の発生が検出されると、火災の発生階に設置されている第１カメラを、前記モニターに映像を表示させるカメラとして選択することを特徴とする請求項１又は請求項２に記載のモニター制御装置。
【請求項４】
前記表示制御手段は、前記救出要請手段によって救出の要請が行われると、救出要請階の情報を前記避難用情報として前記モニターに自動的に表示させることを特徴とする請求項１から請求項３の何れか一項に記載のモニター制御装置。
【請求項５】
前記遠隔場所に設けられた呼び登録装置と、
を更に備え、
前記呼び登録装置は、行先呼びを遠隔登録するための複数の行先釦を有し、
前記表示選択手段は、前記行先釦に対して行われた操作に基づいて、前記モニターに映像を表示させるカメラの選択を行う
ことを特徴とする請求項１から請求項４の何れか一項に記載のモニター制御装置。
【請求項６】
前記遠隔場所に設けられ、前記呼び登録装置を、呼び登録機能とカメラ選択機能とに切り替えるための切替手段と、
を更に備え、
前記呼び登録装置は、前記切替手段によって呼び登録機能に設定されると、前記行先釦に対する操作に基づいて行先呼びの遠隔登録を行い、
前記表示選択手段は、前記切替手段によって前記呼び登録装置がカメラ選択機能に設定されると、前記行先釦に対する操作に基づいて、前記モニターに映像を表示させるカメラの選択を行う
ことを特徴とする請求項５に記載のモニター制御装置。
【請求項７】
前記モニターは、エレベーターの管理を行う防災センター、エレベーターの保守会社の監視センター、所定の消防関係施設の何れかに設置されたことを特徴とする請求項１から請求項６の何れか一項に記載のモニター制御装置。
【発明の詳細な説明】
【技術分野】
【０００１】
この発明は、防災センター等に設置されたモニターの表示を適切に制御できるモニター制御装置に関するものである。
【背景技術】
【０００２】
下記特許文献１には、建物に火災が発生した際に、消防士の救出活動に利用される避難用エレベーターが提案されている。
具体的に、特許文献１に記載のものでは、建物の各階床にカメラが、エレベーターのかご内にモニターが設置されており、カメラによって撮影された映像をかご内のモニターに映し出すことができるように構成されている。そして、エレベーターを火災時の避難用として使用する場合、運転手（例えば、消防士）は、かご内に設置された選択用スイッチを操作してモニターに映し出すカメラ映像の切り替えを行い、乗場状況の確認を行っている。
【先行技術文献】
【特許文献】
【０００３】
【特許文献１】日本特開昭６４−７５３７８号公報
【発明の概要】
【発明が解決しようとする課題】
【０００４】
特許文献１に記載のものでは、エレベーターを火災時の避難用として使用する場合に、かご内モニターに、カメラによって撮影された乗場映像を映し出している。このため、かご内の運転手（例えば、消防士等）は、エレベーターの運転や乗場状況の確認といった各種作業をかご内で行わなければならず、救出活動を迅速且つ正確に行うことができないといった問題があった。【０００５】
なお、カメラによって撮影された乗場映像がモニターに映し出されるだけでは、在館者の救出に必要な情報が十分に提供されているとは言えない。また、特許文献１に記載のものでは、乗場映像の切り替えをかご内の運転手が自分で行わなければならないため、適切な乗場映像をモニターに表示させることも困難であった。【０００６】
例えば、火災時に避難用として利用されるエレベーターは、比較的高いビルに設置されることが多い。このようなビルでは、エレベーターが停止する階床の数が多いため、乗場に設置されるカメラの台数も必然的に多くなってしまう。このため、かご内の運転手は、モニターに映し出される映像を順次切り替えて各乗場の状況を確認しなければならず、その確認作業に多大な時間が必要になってしまう。また、モニターに映し出される映像だけでは、火災の発生場所等を特定することが困難な場合もあり、現状を正確に把握できない恐れもあった。【０００７】
この発明は、上述のような課題を解決するためになされたもので、その目的は、エレベーターを火災時の避難用として利用する場合に、所定の遠隔場所に設置されたモニターに、在館者を救出するために必要な種々の情報を表示させることができるモニター制御装置を提供することである。
【課題を解決するための手段】
【０００８】
この発明に係るモニター制御装置は、エレベーターのかご及び乗場から離れた所定の遠隔場所に設けられたモニターと、モニターの表示を制御する表示制御手段と、かごが停止する複数の乗場に設置された第１カメラと、かごに設置された第２カメラと、複数の乗場に設置された第１カメラ及び第２カメラの中から、モニターに映像を表示させるカメラを選択する表示選択手段と、エレベーターの通常運転及び火災時の避難運転を制御する運行制御手段と、エレベーターの乗場に設けられ、エレベーターによる救出を要請するための救出要請手段と、を備え、表示制御手段は、運行制御手段によって避難運転の制御が開始されると、表示選択手段が選択したカメラによって撮影された映像と火災感知情報によって火災の発生が検出された階床の情報とを含む所定の避難用情報を、モニターに自動的に表示させ、表示選択手段は、救出要請手段によって救出の要請が行われると、救出要請階に設置されている第１カメラを、モニターに映像を表示させるカメラとして選択するものである。
また、この発明に係るモニター制御装置は、エレベーターのかご及び乗場から離れた所定の遠隔場所に設けられたモニターと、モニターの表示を制御する表示制御手段と、かごが停止する複数の乗場に設置された第１カメラと、複数の乗場に設置された第１カメラの中から、モニターに映像を表示させるカメラを選択する表示選択手段と、エレベーターの通常運転及び火災時の避難運転を制御する運行制御手段と、エレベーターの乗場に設けられ、エレベーターによる救出を要請するための救出要請手段と、を備え、表示制御手段は、運行制御手段によって避難運転の制御が開始されると、表示選択手段が選択したカメラによって撮影された乗場の映像と火災感知情報によって火災の発生が検出された階床の情報とを含む所定の避難用情報を、モニターに自動的に表示させ、表示選択手段は、救出要請手段によって救出の要請が行われると、救出要請階に設置されている第１カメラを、モニターに映像を表示させるカメラとして選択するものである。
【発明の効果】
【０００９】
この発明によれば、エレベーターを火災時の避難用として利用する場合に、所定の遠隔場所に設置されたモニターに、在館者を救出するために必要な種々の情報を表示させることができるようになる。このため、建物で火災が発生した際に、エレベーターを利用した迅速且つ正確な救出活動が可能となる。
【図面の簡単な説明】
【００１０】
【図１】この発明の実施の形態１におけるモニター制御装置の全体構成を示す図である。
【図２】この発明の実施の形態１におけるモニター制御装置の動作を示すフローチャートである。
【図３】防災センター内モニターの表示例を示す図である。
【図４】この発明の実施の形態２におけるモニター制御装置の要部を示す構成図である。
【図５】この発明の実施の形態２におけるモニター制御装置の動作の要部を示すフローチャートである。
【発明を実施するための形態】
【００１１】
この発明をより詳細に説明するため、添付の図面に従ってこれを説明する。なお、各図中、同一又は相当する部分には同一の符号を付しており、その重複説明は適宜に簡略化ないし省略する。
【００１２】
実施の形態１．
図１はこの発明の実施の形態１におけるモニター制御装置の全体構成を示す図である。
図１において、１はエレベーター昇降路内を昇降するかご、２はかご１の走行制御等、エレベーター全体の運行制御を司る制御盤である。制御盤２は、常時はその通常機能により、登録された乗場呼び・かご呼びにかご１を順次応答させる通常サービスを行う。また、このエレベーターには、火災等の緊急時に避難用として利用するための機能が備えられており、制御盤２は、必要に応じてそのための制御も行う。
【００１３】
３は上記エレベーターが備えられた建物の１階等に設けられた防災センターである。防災センター３は、かご１やエレベーター乗場から離れた所定の遠隔場所に設置された施設からなり、建物内或いは所定の範囲（敷地等）内の防災設備や消化設備等の集中管理を行う。建物内の各エレベーター、或いは、上記所定の範囲内の各エレベーターは、この防災センター３で一括管理されており、上記制御盤２は、例えば、防災センター３の中央監視盤（図示せず）に接続されている。
【００１４】
また、上記エレベーターが備えられたこの建物には、各階床に火災感知器４が、かご１が停止する乗場に、カメラ５、通話装置６、救出要請釦７（救出要請手段）が設けられている。
火災感知器４は、熱や煙等によって火災の発生を検出する機能を有している。火災感知器４は、火災の発生を検出すると、火災の発生階や火災の発生場所等の情報を、火災感知情報として防災センター３に出力する。なお、防災センター３は、火災感知器４から火災感知情報を受信すると、その受信した火災感知情報（或いは、その火災感知情報に対応する情報）を制御盤２に対して出力する。
【００１５】
カメラ５は乗場の状況を撮影するためのものである。カメラ５によって撮影された各乗場の映像は、防災センター３に入力される。また、通話装置６は、乗場にいる人が防災センター３の監視員やかご１内の運転手（例えば、消防士）と会話するためのものである。通話装置６も、カメラ５と同様に、防災センター３に接続されている。
【００１６】
救出要請釦７は、火災等の緊急時に、建物内の在館者が、エレベーターによる救出を要請するために操作するものである。救出要請釦７は、制御盤２に直接接続されており、操作される（押される）ことにより、救出要請情報を制御盤２に対して出力する。なお、救出要請情報には、例えば、救出を要請する旨の情報や、その救出要請釦７が設置されている階床の情報等が含まれる。
【００１７】
救出要請釦７は、その操作を特定の者（例えば、車椅子利用者や高齢者等）に限定するため、認証装置の機能を併せて備えても良い。例えば、認証装置によって本人認証がなされた場合のみ、救出要請釦７の操作が可能となるように構成する。また、釦操作を不要にし、認証装置による本人認証がなされると、制御盤２に対して救出要請情報を自動的に出力するように構成しても良い。
【００１８】
上記カメラ５、通話装置６、救出要請釦７は、例えば、かご１が停止する複数の乗場に設置される。これらの機器は、かご１が停止する全ての乗場に設置しても良いし、一部の乗場にのみ設置しても良い。
【００１９】
エレベーターのかご１には、カメラ８、通話装置９が設けられている。
カメラ８はかご１内の状況を撮影するためのものである。カメラ８によって撮影されたかご１内の映像は、制御盤２を介して防災センター３に入力される。また、通話装置９は、かご１内にいる人（乗客、運転手等）が外部と通話するためのものである。かご１内の人は、この通話装置９を使用して、防災センター３の監視員や乗場で通話装置６を使用している人との会話を行う。通話装置９も、カメラ８と同様に、制御盤２を介して防災センター３に接続されている。
【００２０】
制御盤２には、上記通常サービスを行うための通常運転や、建物内で火災が発生した際に、エレベーターによる避難を行うための避難運転を制御する機能が備えられている。制御盤２は、防災センター３、各救出要請釦７、かご１（の各機器）に接続されており、例えば、通信手段１０、運行制御手段１１、乗車検出手段１２、救出要請階検出手段１３、停止検出手段１４により、その要部が構成される。
【００２１】
通信手段１０は、制御盤２が、接続されている各機器と情報の送受信を行うためのものである。
【００２２】
運行制御手段１１は、通常運転や火災時の避難運転等、エレベーターの各種運転を制御する機能を有している。運行制御手段１１は、常時は通常運転を行い、登録された乗場呼び・かご呼びにかご１を順次応答させる制御を行う。また、運行制御手段１１は、何れかの火災感知器４によって火災の発生が検出されると、所定の開始条件を満足する場合に、エレベーターを通常運転から避難運転に移行させ、在館者の救出を行うために必要な所定の制御を開始する。
【００２３】
乗車検出手段１２は、かご１内にいる人を検出する機能を有している。乗車検出手段１２は、例えば、かご１等に設けられた秤装置やセンサ（赤外線センサ等）の出力、或いはカメラ８によって撮影された映像に基づいてかご１内の人の有無を判定し、所定の条件を満足する場合に、かご１内に人がいることを検出する。乗車検出手段１２は、かご１内の人の存在を検出すると、その結果を、通信手段１０を介して防災センター３にも出力する。
【００２４】
救出要請階検出手段１３は、救出要請釦７から受信した救出要請情報に基づいて、救出の要請が行われた階床（救出要請階）を検出する機能を有している。救出要請階検出手段１３は、受信した救出要請情報に基づいて救出要請階を特定すると、その結果を、通信手段１０を介して防災センター３にも出力する。
【００２５】
停止検出手段１４は、走行中のかご１を停止させるための所定の停止決定を検出する機能を有している。走行中のかご１を停止させるためには、エレベーター巻上機への減速指令等、所定の停止決定が必要になる。停止検出手段１４は、このような停止決定が行われたことを検出し、かご１が停止する階床を特定する。停止検出手段１４は、かご１が次に停止する階床を特定すると、その結果を、通信手段１０を介して防災センター３にも出力する。
【００２６】
一方、防災センター３には、モニター１５、通話装置１６、制御装置１７、手動切替手段１８が備えられている。
【００２７】
モニター１５は、防災センター３の監視員等に、エレベーターの監視情報や建物の防災情報等を提供するために備えられたものであり、例えば、液晶ディスプレイ等によって構成される。通常時、モニター１５には、一般の監視情報が表示される。また、建物内で火災が発生し、エレベーターによる避難を行うための避難運転が制御盤２において開始されると、所定の条件下、上記モニター１５には、避難運転を迅速且つ正確に行うために必要な各種情報（以下、「避難用情報」ともいう）が表示される。具体的には、エレベーターを利用した救出活動を支援するために必要な各種情報が、避難用情報として防災センター３のモニター１５に表示される。
上記のようにモニター１５に一般の監視情報と避難用情報との両方を切り換えて各々表示することにより、モニター１５の有効活用を図り、モニター１５の数を削減できる。
なお、避難運転時のモニター１５の具体的な表示内容については後述する。
【００２８】
通話装置１６は、防災センター３の監視員等が外部と通話するためのものである。即ち、制御盤２において避難運転が行われている時、防災センター３の監視員は、この通話装置１６を使用して、かご１内の人（乗客、運転手等）や乗場で通話装置６を使用している人との会話を行う。
【００２９】
制御装置１７は、防災センター３の中央監視盤等に備えられている。防災センター３には、カメラ５及び８によって撮影された映像をモニター１５にリアルタイムに表示させる機能が備えられており、モニター１５に映像を表示させるカメラ５及び／又は８の選択を、自動で、また必要に応じて手動で行うことができるように構成されている。このような機能を実現するため、制御装置１７には、通信手段１９、火災情報検出手段２０、表示制御手段２１、表示選択手段２２、通話選択手段２３が備えられている。
【００３０】
通信手段１９は、防災センター３が、接続されている各機器と情報の送受信を行うためのものである。
また、火災情報検出手段２０は、火災感知器４から受信した火災感知情報に基づいて、火災の発生階や火災の発生場所を検出する機能を有している。
【００３１】
表示制御手段２１は、防災センター３に設置されているモニター１５の表示を制御する機能を有している。表示制御手段２１は、エレベーターにおいて通常運転が行われている平常時、建物内に設置された各機器の状態やエレベーターの状態といった一般の監視情報をモニター１５に表示させる。一方、制御盤２において（運行制御手段１１によって）避難運転の制御が開始されると、表示制御手段２１は、制御盤２からの情報や制御装置１７内の他の手段からの情報等に基づいて、上記避難用情報をモニター１５に自動的に表示させる。
【００３２】
表示選択手段２２は、モニター１５に映像を表示させるためのカメラ（以下、「映像表示用カメラ」ともいう）を、複数の乗場に設置されたカメラ５や、かご１に設置されたカメラ８の中から選択する機能を有している。即ち、表示制御手段２１は、表示選択手段２２が選択したカメラ５及び／又は８によって撮影された映像を、モニター１５にリアルタイム表示させる。
なお、表示選択手段２２によって選択される映像表示用カメラは、１台であっても良いし、複数台（例えば、２台或いは４台等）であっても良い。
【００３３】
例えば、表示選択手段２２は、火災感知器４によって火災の発生が検出されると、火災情報検出手段２０の検出結果に基づいて、火災の発生階に設置されているカメラ５を映像表示用カメラとして選択する。これにより、防災センター３のモニター１５には、火災発生階の乗場映像が自動的に映し出される。また、表示制御手段２１は、火災情報検出手段２０によって火災の発生階及び／又は火災の発生場所が特定されると、その特定された火災発生階等の情報を避難用情報としてモニター１５に表示させる。
【００３４】
また、例えば、エレベーターのある乗場において救出要請釦７が操作され、救出の要請が行われると、表示選択手段２２は、制御盤２の救出要請階検出手段１３の検出結果に基づいて、救出要請階に設置されているカメラ５を映像表示用カメラとして選択する。これにより、モニター１５には、救出要請階の乗場映像が自動的に映し出される。また、表示制御手段２１は、救出要請階検出手段１３によって救出要請階が特定されると、その特定された救出要請階の情報を避難用情報としてモニター１５に表示させる。
【００３５】
また、例えば、避難運転時にかご１が救出階に停止する場合等、制御盤２の停止検出手段１４によって停止決定が検出されると、表示選択手段２２は、その停止予定の階床に設置されているカメラ５を、映像表示用カメラとして選択する。これにより、モニター１５には、かご１が直後に停止する救出階等の乗場映像が自動的に映し出される。
【００３６】
また、例えば、エレベーターの避難運転が行われている時に乗車検出手段１２によってかご１内に人がいることが検出されると、表示選択手段２２は、かご１に設置されているカメラ８を映像表示用カメラとして選択する。これにより、モニター１５には、かご１内の映像が自動的に映し出される。
【００３７】
上記通話選択手段２３は、防災センター３の通話装置１６の選局先を検出する機能を有している。
表示選択手段２２は、通話装置１６が通話装置６及び９の何れかを選局すると、通話選択手段２３の検出結果に基づいて、その選局された通話装置が設置されている場所のカメラを映像表示用カメラとして選択する。例えば、通話装置１６が通話装置６の一つを選局した場合、表示選択手段２２は、その通話装置６が設置されている階床のカメラ５を、映像表示用カメラとして選択する。これにより、モニター１５には、選局された通話装置６が設置されている階床の乗場映像が、自動的に映し出される。また、通話装置１６が通話装置９を選局した場合、表示選択手段２２は、カメラ８を映像表示用カメラとして選択する。これにより、モニター１５には、かご１内の映像が自動的に映し出される。
【００３８】
手動切替手段１８は、モニター１５に映像を表示させるカメラの選択を、防災センター３の監視員等に手動で行わせるために備えられたものである。即ち、防災センター３の監視員は、手動切替手段１８によって１つ或いは複数のカメラ５及び／又は８を指定することにより、所望のカメラによって撮影された乗場映像及び／又はかご内映像をモニター１５に映し出すことができる。
【００３９】
次に、図２及び図３も参照し、上記構成を有するモニター制御装置の動作について具体的に説明する。図２はこの発明の実施の形態１におけるモニター制御装置の動作を示すフローチャート、図３は防災センター内モニターの表示例を示す図である。
【００４０】
エレベーターにおいて通常運転が行われている時に、建物内の何れかの火災感知器４によって火災の発生が検出されると、その火災感知器４からの火災感知情報が、防災センター３に入力される。防災センター３の制御装置１７では、通信手段１９によって火災感知情報を受信すると、火災の発生を確定し（Ｓ１０１）、以下に示す処理を行う。
【００４１】
制御装置１７では、先ず、火災時のエレベーターを利用した避難が可能か否かを判定する（Ｓ１０２）。
火災感知器４からの火災感知情報は、防災センター３を介してエレベーターの制御盤２にも入力される。制御盤２には、火災時にエレベーターを利用するための開始条件が予め記憶されており、運行制御手段１１は、エレベーターの現在の状態とこの開始条件とを比較することにより、避難運転への移行の可否を判定する。例えば、所定の安全装置が動作している場合等、上記開始条件が成立していない場合、エレベーターでは、避難運転は開始されない。かかる場合、制御装置１７において利用不可の判定がなされ（Ｓ１０２のＮｏ）、表示制御手段２１は、例えば、一般の監視情報の表示を継続させる。
【００４２】
一方、火災感知情報の受信時に上記開始条件が成立していれば、運行制御手段１１は、エレベーターを通常運転から避難運転に移行させる。防災センター３では、この避難運転への移行を検出することにより、Ｓ１０２において利用可能の判定を行う。そして、防災センター３では、エレベーターを利用した救出活動を支援するためのモニター制御が、制御装置１７において開始される。
【００４３】
表示制御手段２１では、避難運転への切り替えが検出されることにより、モニター１５の表示内容を、それまでの一般の監視情報から火災時の避難用情報に変更する（Ｓ１０３）。例えば、モニター制御装置が図１に示す構成を有する場合、表示制御手段２１は、カメラ５による乗場映像及びカメラ８によるかご内映像と、火災発生階、火災発生場所、救出要請階の各情報とを、火災時の避難用情報としてモニター１５に表示する（Ｓ１０４）。
【００４４】
なお、モニター１５に映し出される映像は、表示選択手段２２が映像表示用カメラとして選択したカメラ５及び／又は８によって撮影されたものである。火災時の避難運転は、火災感知器４が火災の発生を検出することによって開始される。このため、避難運転が開始された直後は（即ち、Ｓ１０４においては）、表示選択手段２２によって、火災発生階のカメラ５が映像表示用カメラとして選択され、モニター１５には、少なくとも火災発生階の乗場映像が映し出される。
【００４５】
Ｓ１０４において初期の避難用情報がモニター１５に表示されると、表示選択手段２２は、防災センター３の通話装置１６が、乗場に設置された何れかの通話装置６を選局したか否かを判定する（Ｓ１０５）。ここで、防災センター３と乗場との通話が確立されていれば、表示選択手段２２は、通話装置１６が選局した通話装置６の設置階床のカメラ５を映像表示用カメラとして選択し、その乗場映像をモニター１５に優先的に表示させる（Ｓ１０６）。
【００４６】
防災センター３と乗場との通話が確立されていない場合、表示選択手段２２は、次に、防災センター３の通話装置１６が、かご１に設置されている通話装置９を選局したか否かを判定する（Ｓ１０７）。そして、防災センター３とかご１との通話が確立されていれば、表示選択手段２２は、かご１内のカメラ８を映像表示用カメラとして選択し、そのかご内映像をモニター１５に優先的に表示させる（Ｓ１０８）。
【００４７】
一方、通話選択手段２３によって通話装置９の何れの選局も検出されない場合（Ｓ１０７のＮｏ）、表示選択手段２２は、次に、乗場の救出要請釦７が操作されたか否かを判定する（Ｓ１０９）。ここで、何れかの救出要請釦７が操作されていれば、表示選択手段２２は、その操作された救出要請釦７の設置階床のカメラ５を映像表示用カメラとして選択し、その乗場映像をモニター１５に優先的に表示させる（Ｓ１１０）。
【００４８】
図３は、Ｓ１１０におけるモニター１５の表示例を示したものである。図３に示す例では、救出要請の有無が階床毎にモニター１５に表示されている。また、救出要請釦７が操作された５階のカメラ５が映像表示用カメラとして選択されており、モニター１５には、５階の乗場映像が表示されている。なお、図３に示す例では、３階の救出要請釦７も操作されている。かかる場合、表示選択手段２２は、３階と５階の双方のカメラ５を映像表示用カメラとして選択し、モニター１５の所定の領域に、３階の乗場映像と５階の乗場映像とを分割表示させたり、交互に表示させたりしても良い。また、表示選択手段２２は、後から操作された救出要請釦７が設置されている階床のカメラ５を、映像表示用カメラとして選択しても良い。
【００４９】
また、図３では、モニター１５に手動切替手段１８を表示させた例を示している。このように、手動切替手段１８をタッチパネル式の釦によって構成し、モニター１５内でカメラの手動選択を行うことができるようにしても良い。
【００５０】
通話装置１６による選局、及び、救出要請釦７による救出要請が何れも行われていない場合（Ｓ１０９のＮｏ）、表示選択手段２２は、次に、エレベーターの停止決定が行われたか否かを判定する（Ｓ１１１）。ここで、エレベーターが救出階に停止することが決定していれば、表示選択手段２２は、かご１が次に停止する階床のカメラ５を映像表示用カメラとして選択し、その乗場映像をモニター１５に優先的に表示させる（Ｓ１１２）。
【００５１】
Ｓ１０６、Ｓ１０８、Ｓ１１０、Ｓ１１２において新たな乗場映像或いはかご内映像をモニター１５に表示させた後、或いは、Ｓ１１１において停止決定が行われていない旨の判定がなされた後、表示選択手段２２は、手動切替手段１８によってカメラの手動選択が行われたか否かを判定する（Ｓ１１３）。なお、手動切替手段１８に対して操作が行われていない場合は（Ｓ１１４）、上記Ｓ１０４乃至Ｓ１１２に示す映像表示用カメラの自動選択処理が優先され、現在の状況に応じた適切な映像がモニター１５に表示される。
【００５２】
一方、図３に示すタッチパネル式の入力釦が押される等、手動切替手段１８によってカメラの選択が行われると、表示選択手段２２は、手動切替手段１８によって指定された（階床の）カメラ５を映像表示用カメラとして選択し、その乗場映像をモニター１５に優先的に表示させる（Ｓ１１５）。なお、手動切替手段１８によるカメラの手動選択が行われた後であっても、火災の発生や通話装置１６による選局、救出要請、停止決定等が新たに検出された場合は、映像表示用カメラの自動選択処理を優先させて、モニター１５の表示の切り替えを行っても良い。
【００５３】
この発明の実施の形態１によれば、エレベーターを火災時の避難用として利用する場合に、防災センター３のモニター１５に、エレベーターによって在館者を救出するため（即ち、エレベーターを利用した救出活動を支援するため）に必要な種々の情報を表示させることができる。即ち、防災センター３の監視員は、建物内において火災がどこで発生しているのか、エレベーターによる避難が必要な在館者（例えば、車椅子利用者）がどの階床にいるのかといった情報を、モニター１５の表示内容から瞬時に把握することができる。これにより、防災センター３の監視員は、かご１内の運転手等に対して、的確な指示を伝えることができ、エレベーターを利用した迅速且つ正確な救出活動を実現することが可能となる。
【００５４】
また、高層ビルでは、乗場に設置するカメラ５の台数が必然的に多くなってしまうが、上記構成のモニター制御装置であれば、建物の状況や在館者の有無等に応じて適切な映像をモニター１５に表示させることができる。
【００５５】
なお、本実施の形態では、カメラ５による乗場の映像及びカメラ８によるかご１内の映像と、火災発生階、火災発生場所、救出要請階の各情報とを、火災時の避難用情報としてモニター１５に表示させる場合について具体的な説明を行った。しかし、火災感知器４からの火災感知情報に具体的な火災発生場所の情報が含まれない場合は、火災発生階の情報のみをモニター１５に表示しても構わない。また、エレベーターの乗場に救出要請釦７が設置されていない場合は、上記避難用情報に救出要請階の情報は含まれず、その他の情報をモニター１５に表示すれば良い。更に、カメラ８によるかご内映像は、避難用情報として常時モニター１５に表示させても良いし、必要（各手段の検出結果等）に応じてモニター１５に表示させても良い。また、かご１内にカメラ８が設置されていない場合等には、上記避難用情報にかご内映像は含まれず、その他の情報をモニター１５に表示すれば良い。
【００５６】
本実施の形態では、モニター１５や制御装置１７が防災センター３に設置されている場合について、具体的な説明を行った。しかし、これは単に一例を示したものであり、モニター１５の設置場所は、かご１や乗場から離れた場所であって、エレベーターを利用した救出活動を支援することができる場所であれば、何処であっても構わない。例えば、モニター１５や通話装置１６、制御装置１７等は、エレベーターの保守会社が運営する監視センターや、近隣の消防関係施設、非常時に臨時に設置される消防関係施設等に備えることも可能である。
【００５７】
実施の形態２．
図４はこの発明の実施の形態２におけるモニター制御装置の要部を示す構成図である。図４は、防災センター３の構成を示している。
防災センター３には、モニター１５、通話装置１６、制御装置１７の他に、呼び登録装置２４が備えられている。呼び登録装置２４は、防災センター３においてエレベーター（制御盤２）を遠隔操作するために備えられたものである。呼び登録装置２４には、切替手段２５、複数の行先釦２６等が設けられている。
【００５８】
切替手段２５は、呼び登録装置２４を、呼び登録機能とカメラ選択機能とに切り替えるためのものである。切替手段２５は、例えば、キースイッチや、機械式或いはタッチパネル式の操作釦等によって構成される。
【００５９】
呼び登録装置２４が、切替手段２５によって呼び登録機能に設定されている場合、行先釦２６は、防災センター３においてエレベーターの行先呼びを遠隔登録するために使用される。即ち、防災センター３の監視員等によって行先釦２６が操作される（押される）と、呼び登録装置２４は、操作された行先釦２６に対応する信号を制御盤２に送信し、行先呼びの登録を行わせる。
【００６０】
一方、上記カメラ選択機能は、モニター１５に映像を表示させるカメラの選択を、防災センター３の監視員等に手動で行わせるために備えられたものである。
呼び登録装置２４が、切替手段２５によってカメラ選択機能に設定されている場合、行先釦２６は、モニター１５に映像を表示させるカメラを指定するために使用される。即ち、防災センター３の監視員等は、行先釦２６を操作する（押す）ことにより、所望のカメラによって撮影された乗場映像及び／又はかご内映像をモニター１５に映し出すことができる。
【００６１】
なお、防災センター３以外の構成については、実施の形態１と同様である。
【００６２】
次に、図５も参照し、上記構成を有するモニター制御装置の動作について具体的に説明する。図５はこの発明の実施の形態２におけるモニター制御装置の動作の要部を示すフローチャートである。なお、図５に示すＳ２０１乃至Ｓ２０３は、図２のＳ１１３乃至Ｓ１１５に相当する。即ち、図２のＳ１０１乃至Ｓ１１２に示す各処理が行われた後、図５に示す各処理が行われる。
【００６３】
Ｓ２０１において、表示選択手段２２は、呼び登録装置２４がカメラ選択機能に設定されているか否かを判定する（Ｓ２０１）。なお、呼び登録装置２４が呼び登録機能に設定されている場合は（Ｓ２０２）、映像表示用カメラの自動選択処理が優先される。即ち、表示選択手段２２は、制御装置１７内の各手段や制御盤２からの入力情報等に基づいて、映像表示用カメラの選択を行い、現在の状況に応じた適切な映像をモニター１５に表示させる。かかる場合、呼び登録装置２４は、防災センター３の監視員等が行先呼びを遠隔登録するために使用される。
【００６４】
一方、呼び登録装置２４がカメラ選択機能に設定されている場合（Ｓ２０１のＹｅｓ）、呼び登録装置２４は、防災センター３の監視員により、モニター１５に映像を映し出すカメラ５を指定するために使用される。かかる場合、表示選択手段２２は、呼び登録装置２４の行先釦２６に対して行われた操作（即ち、押された行先釦２６）に基づいて、映像表示用カメラの選択を行い、その選択したカメラ映像をモニター１５に優先的に表示させる（Ｓ２０３）。
【００６５】
この発明の実施の形態２によれば、エレベーターの遠隔操作を行うことができる防災センター３において、避難運転を迅速且つ正確に行うために必要な各種情報をモニター１５に表示させることができる。このため、防災センター３の監視員は、建物内において火災がどこで発生しているのか、エレベーターによる避難が必要な在館者（例えば、車椅子利用者）がどの階床にいるのかといった情報を、モニター１５の表示内容から瞬時に把握することができ、エレベーターを利用した救出活動を迅速且つ正確に行うことが可能となる。
【００６６】
また、モニター１５に映像を映し出すための手動選択機能を呼び登録装置２４に備えることができるため、手動選択に必要な装置が大型化したりする恐れもない。
その他は、実施の形態１と同様の効果を奏することが可能である。
【産業上の利用可能性】
【００６７】
この発明に係るモニター制御装置は、防災センター等、エレベーターのかごや乗場から離れた所定の遠隔場所に設置されたモニターの制御を行うものに対して適用することができる。
【符号の説明】
【００６８】
１  かご
２  制御盤
３  防災センター
４  火災感知器
５、８  カメラ
６、９、１６  通話装置
７  救出要請釦
１０、１９  通信手段
１１  運行制御手段
１２  乗車検出手段
１３  救出要請階検出手段
１４  停止検出手段
１５  モニター
１７  制御装置
１８  手動切替手段
２０  火災情報検出手段
２１  表示制御手段
２２  表示選択手段
２３  通話選択手段
２４  呼び登録装置
２５  切替手段
２６  行先釦
【図１】
0005516743.tif 000002
【図２】
0005516743.tif 000003
【図３】
0005516743.tif 000004
【図４】
0005516743.tif 000005
【図５】
0005516743.tif 000006